【手続補正書】
【提出日】平成14年7月30日(2002.7.30)
【手続補正１】
【補正対象書類名】明細書
【補正対象項目名】特許請求の範囲
【補正方法】変更
【補正の内容】
【特許請求の範囲】
【請求項１】
スプレイ容器の内容物をスプレイする装置であって、
流体を含む容器に密封状態で取付可能なディスペンサ本体、
前記ディスペンサ本体に形成された流体出口、および
前記ディスペンサ本体にその周辺で概ね自由に支持された可変要素を含み、
前記可変要素は参照温度範囲内のときに第一配向を有し、かつ参照温度範囲外のときに第二配向へ逆転変化し、前記第一配向において前記可変要素は前記容器から流体の通過を閉塞する作用をし、かつ前記第二配向においで前記可変要素は前記容器から流体の通過を可能にする作用をする、装置。
【請求項２】
前記可変要素は概ね円形である、請求項１による装置。
【請求項３】
前記可変要素は概ね矩形である、請求項１による装置。
【請求項４】
流体を含む容器を更に含み、前記ディスペンサ本体は前記容器に密封状態で取付けられている、請求項１による装置。
【請求項５】
前記第二配向において前記流体は前記可変要素へ向かって流れて接触し、そこで前記流体と前記可変要素間に熱移動が行なわれて前記可変要素が参照温度範囲になり、それにより前記可変要素が前記第二配向から前記第一配向へ変化する、請求項４による装置。
【請求項６】
前記流体は前記容器と対面する前記可変要素の面上で前記可変要素と接触する、請求項４による装置。
【請求項７】
前記流体は前記容器と対面しない前記可変要素の面上で前記可変要素と接触する、請求項３による装置。
【請求項８】
前記流体は前記容器と対面する前記可変要素の面上および前記容器と対面しない前記可変要素の面上で前記可変要素と接触する、請求項３による装置。
【請求項９】
前記ディスペンサ本体内で第一位置と第二位置間で摺動運動するように配置されたプランジャを更に含む、請求項１による装置。
【請求項１０】
前記プランジャは前記可変要素に取付けられている、請求項１による装置。
【請求項１１】
前記可変要素はバイメタル要素を含む、請求項１による装置。
【請求項１２】
前記可変要素は形状記憶合金要素を含む、請求項１による装置。
【請求項１３】
前記ディスペンサ本体は前記可変要素を外部環境から熱的に絶縁するための断熱材を含む、請求項１による装置。
【請求項１４】
前記ディスペンサ本体は膨張室と共に形成され、かつ前記可変要素が前記第二配向のときに、前記流体は前記膨張室へ流入して膨張する、請求項１による装置。
【請求項１５】
前記膨張室は前記可変要素の一側に位置決めされている、請求項１４による装置。
【請求項１６】
前記膨張室は前記可変要素の二側に位置決めされている、請求項１４による装置。
【請求項１７】
流体出口から前記流体の流出を実質的に阻止する作用をする前記流体出口と流体で連絡する安全スプレイバルブを更に含む、請求項１による装置。
【請求項１８】
前記安全スプレイバルブは前記ディスペンサ本体内に形成された穴内に摺動自在に設置されたストッパを含み、前記穴は容器から前記流体出口へ流体が流れるのを可能にし、前記ストッパは前記穴の端部へ向かって摺動し、かつ前記容器の加圧内容物の力により実質的に摺動自在にそこに保持されるように構成されている、請求項１７による装置。
【請求項１９】
前記安全スプレイバルブは前記可変要素から前記容器へ戻る方向へ物質が流れるのを実質的に阻止する一方弁を含む、請求項１７による装置。
【請求項２０】
前記一方弁は前記ディスペンサ本体内に形成された穴内に設置されたボールを含み、前記ボールは前記可変要素へ向かう前記容器からの流体の流れを干渉しないが、前記容器へ向けて後方へ流体が流れることを実質的に阻止する、請求項１９による装置。
【請求項２１】
スプレイ容器の内容物をスプレイする装置であって、
流体を含む容器へ密封状態で取付可能なディスペンサ本体、
前記ディスペンサ本体に形成された膨張室、
前記ディスペンサ本体に形成された流体出口、および
前記膨張室内に設置された概ね矩形の可変要素を含み、
前記可変要素が参照温度範囲内のときに第一配向を有し、かつ参照温度範囲外のときに第二配向へ逆転変化し、前記第一配向において前記可変要素は前記容器からの流体の通過を閉塞する作用をし、かつ前記第二配向においで前記可変要素は前記容器からの流体の通過を可能にする作用をし、前記流体が前記膨張室へ流れてそこで膨張する、装置。
【請求項２２】
前記可変要素は前記第一配向において前記膨張室で概ね自由に支持され、前記可変要素が前記第一配向から前記第二配向へスナップするときに、前記可変要素の両端部は移動して前記膨張室の内面に当接し、前記可変要素が前記第二配向へスナップしたときに前記可変要素の両端部は前記膨張室の内面からギャップにより分離されかつ前記膨張室内で自由に支持される、請求項２１による装置。
【請求項２３】
前記可変要素の２つの端部は前記膨張室において挟持（ｃｌａｍｐ）されている、請求項２１による装置。
【請求項２４】
前記可変要素は前記膨張室において概ねその周辺まわりで挟持されている、請求項２１による装置。
【請求項２５】
前記可変要素はバイメタル要素を含む、請求項２１による装置。
【請求項２６】
前記可変要素は形状記憶合金要素を含む、請求項２１による装置。
【請求項２７】
スプレイ容器の内容物をスプレイする装置であって、
流体を含む容器へ密封状態で取付可能なディスペンサ本体、
前記ディスペンサ本体に形成された流体出口、
前記容器から流体をスプレイする作用をする前記ディスペンサ本体と流体により連絡するスプレイノズル、および
前記スプレイノズルが機能不全であっても前記スプレイノズルを通る流体の流れを実質的に阻止する作用をする安全スプレイバルブを含む、装置。
【請求項２８】
前記安全スプレイバルブは前記ディスペンサ本体に形成された穴内に摺動自在に設置されたストッパを含み、前記穴は流体が前記流体出口へ容器から流れることを可能にし、前記ストッパは前記穴の端部へ向かって摺動する構成であり、かつ前記容器の加圧内容物の力によりそこに実質的密封状態で保持される構成である、請求項２７による装置。
【請求項２９】
前記安全スプレイバルブは前記可変要素から前記容器へ戻る方向へ物質が流れることを実質的に阻止する一方弁を含む、請求項２７による装置。
【請求項３０】
前記一方弁は前記ディスペンサ本体に形成された穴内に設置されたボールを含み、前記ボールは前記可変要素へ向かう前記容器からの流体の流れを干渉しないが、前記容器へ向けて後方へ流体が流れることを実質的に阻止する、請求項２９による装置。
【請求項３１】
容器から流体をディスペンスする方法であって、
流体を含む容器を用意し、
前記容器にスプレイバルブを取付け、かつ
前記スプレイバルブを取付けた容器を参照温度範囲外の温度の環境に設置することを含み、
前記スプレイバルブが、
流体を含む容器へ密封状態で取付可能なディスペンサ本体、
前記ディスペンサ本体に形成された流体出口、および
前記ディスペンサ本体内でその周辺が概ね自由に支持された可変要素を含み、
前記可変要素は参照温度範囲内のときに第一配向を有しかつ参照温度範囲外のときに第二配向へ逆転変化し、前記第一配向において前記可変要素は前記容器からの流体の通過を閉塞する作用をし、かつ前記第二配向においで前記可変要素は前記容器からの流体の通過を可能にする作用をし、かつ
所定時間後に前記可変要素と前記環境との間の熱移動が前記可変要素を前記参照温度範囲外にし、それにより前記可変要素が前記第二配向へ変化し、かつ前記流体が前記容器から前記ディスペンサ本体へ流出して前記流体出口からディスペンスされる、方法。
【請求項３２】
前記可変要素が前記第二配向のときに前記流体と前記可変要素間に熱を伝達して前記可変要素を前記参照温度範囲にすることを更に含み、そのようにして前記可変要素が前記第二配向から前記第一配向へ変化し、それにより前記流体が前記ディスペンサ本体を退去するのを阻止する、請求項３１による方法。
【請求項３３】
前記スプレイノズルの所望寸法を選択することにより流体のディスペンスを制御することを更に含む、請求項３１または３２による方法。
【請求項３４】
前記流体出口の所望寸法を選択することにより流体のディスペンスを制御することを更に含む、請求項３１または３２による方法。
【請求項３５】
選択された熱特性および物理的寸法を有するバイメタル材料で前記可変要素を構成することにより流体のディスペンスを制御することを更に含む、請求項３１または３２による方法。
【請求項３６】
前記可変要素が前記第二配向のときに、前記容器に対面する前記可変要素の面上に流体の流れを誘導することにより流体のディスペンスを制御することを更に含む、請求項３１または３２による方法。
【請求項３７】
前記可変要素が前記第二配向のときに、前記容器に対面しない前記可変要素の面上に流体の流れを誘導することにより流体のディスペンスを制御することを更に含む、請求項３１または３２による方法。
【請求項３８】
前記可変要素が前記第二配向のときに、前記容器に対面する前記可変要素の面および前記容器に対面しない前記可変要素の面上に流体の流れを誘導することにより流体のディスペンスを制御することを更に含む、請求項３１または３２による方法。
【請求項３９】
前記流体の所望物理的特性を選択することにより流体のディスペンスを制御することを更に含む、請求項３１または３２による方法。
【請求項４０】
前記流体の所望熱的特性を選択することにより流体のディスペンスを制御することを更に含む、請求項３１または４３２よる方法。
【請求項４１】
前記流体の所望圧力を選択することにより流体のディスペンスを制御することを更に含む、請求項３１または３２による方法。
【請求項４２】
前記ディスペンサ本体を外部環境から熱的に絶縁することにより流体のディスペンスを制御することを更に含む、請求項３１または３２による方法。